(57)【要約】【課題】  テレビとＨＤＤレコーダとが分離している場合に、ユーザーが通常テレビで視聴している番組の見逃しを防止することはできなかった。【解決手段】  ユーザーが視聴している番組の情報を、ＨＤＤレコーダ３０によってＣＥＣ機能によってＨＤＤレコーダ３０側に保存し（ステップ１１，１２，１３ａ）、ＨＤＤレコーダ３０側でテレビ側チューナ１１が視聴している番組のデータベースを作成し（ステップ１３ｂ）、このデータベースにより録画候補の番組を選定（ステップ１３ｃ）する。そして、視聴予約とされると、予約に対応して視聴させたり（ステップ１４）、自動録画予約させ（ステップ１５）、見逃しを防止する。【選択図】  図２
2011130286.tif 000002
【特許請求の範囲】
【請求項１】
テレビとＨＤＤレコーダとをＨＤＭＩケーブルで接続してＣＥＣ機能で互いに通信可能なテレビ視聴およびテレビ録画システムであって、
上記ＨＤＤレコーダの側において、
上記ＣＥＣ機能による通信を介して上記テレビでのテレビ放送の視聴操作を受け付ける視聴操作受付手段と、
テレビ放送の番組表を受信する番組表受信手段と、
視聴された番組の情報を蓄積する視聴履歴管理手段と、
視聴された番組の履歴に基づいて所定の基準と対比させて見逃し防止対象を選択する番組選択手段と、
視聴操作を監視して見逃し防止対象として選択されている番組が視聴されていないときに視聴対象とさせる視聴予約処理手段とを具備することを特徴とするテレビ視聴およびテレビ録画システム。
【請求項２】
上記番組選択手段は、見逃し防止対象を選択する基準として、週内の連続する日付で同時刻帯に一定時間以上視聴している番組を選択することを特徴とする請求項１に記載のテレビ視聴およびテレビ録画システム。
【請求項３】
上記番組選択手段は、見逃し防止対象を選択する基準として、連続する週で同時刻帯に一定時間以上視聴している番組を選択することを特徴とする請求項１または請求項２に記載のテレビ視聴およびテレビ録画システム。
【請求項４】
上記番組選択手段は、視聴する回数が多くなると優先度を上げることを特徴とする請求項１〜請求項３のいずれかに記載のテレビ視聴およびテレビ録画システム。
【請求項５】
上記視聴予約処理手段は、上記テレビと接続されている上記ＨＤＤレコーダに対して自動録画対象として予約させることを特徴とする請求項１〜請求項４のいずれかに記載のテレビ視聴およびテレビ録画システム。
【請求項６】
上記視聴操作受付手段は、上記テレビがオフとなる際に上記ＨＤＤレコーダにまとめて送信することを特徴とする請求項１〜請求項４のいずれかに記載のテレビ視聴およびテレビ録画システム。
【請求項７】
上記視聴操作受付手段は、所定期間毎に上記テレビから上記ＨＤＤレコーダにまとめて送信することを特徴とする請求項１〜請求項４のいずれかに記載のテレビ視聴およびテレビ録画システム。
【請求項８】
上記視聴操作受付手段は、視聴操作された時点で逐次上記テレビから上記ＨＤＤレコーダに送信することを特徴とする請求項１〜請求項４のいずれかに記載のテレビ視聴およびテレビ録画システム。
【請求項９】
上記ＨＤＤレコーダは、一定容量の記憶領域の範囲で自動録画対象を録画し、容量を超えるものについては所定の基準に従って削除することを特徴とする請求項１〜請求項８のいずれかに記載のテレビ視聴およびテレビ録画システム。
【請求項１０】
テレビに対してＨＤＭＩケーブルで接続されてＣＥＣ機能で互いに通信可能なＨＤＤレコーダであって、
上記ＣＥＣ機能による通信を介して上記テレビでのテレビ放送の視聴操作を受け付ける視聴操作受付手段と、
テレビ放送の番組表を受信する番組表受信手段と、
視聴された番組の情報を蓄積する視聴履歴管理手段と、
視聴された番組の履歴に基づいて所定の基準と対比させて見逃し防止対象を選択する番組選択手段と、
視聴操作を監視して見逃し防止対象として選択されている番組が視聴されていないときに視聴対象とさせる視聴予約処理手段とを具備することを特徴とするＨＤＤレコーダ。
【請求項１１】
テレビ放送の視聴操作を受け付けるテレビ視聴操作受付手段と、
テレビ放送の番組表を受信するテレビ番組表受信手段と、
視聴された番組の情報を蓄積するテレビ視聴履歴管理手段と、
視聴された番組の履歴に基づいて所定の基準と対比させて見逃し防止対象を選択するテレビ番組選択手段と、
視聴操作を監視して見逃し防止対象として選択されている番組が視聴されていないときに視聴対象とさせるテレビ視聴予約処理手段とを具備することを特徴とするテレビ。
【請求項１２】
テレビとＨＤＤレコーダとをＨＤＭＩケーブルで接続してＣＥＣ機能で互いに通信可能なテレビ視聴およびテレビ録画システムであって、
上記テレビは、
テレビ放送を受信するテレビ側チューナと、
操作を受け付けるテレビ側操作パネルと、
同テレビ側チューナによる受信信号に基づいて映像信号と音声信号を出力するテレビ処理回路と、
上記映像信号に基づいて画像処理する画像処理回路と、
液晶パネルと、バックライトユニットと、パネル駆動回路とを有し、画像処理された映像信号に基づいて映像を表示する液晶パネルユニットと、
上記音声信号に基づいて音声を出力する音声回路と、
上記テレビ側チューナの受信信号から番組表を取得するテレビ側番組表取得回路と、
テレビの総合的な制御を行なうテレビ側制御回路と、
外部機器と接続可能なテレビ側ＨＤＭＩインターフェイスとを具備し、
上記ＨＤＤレコーダは、
テレビ放送を受信するレコーダ側チューナと、
操作を受け付けるレコーダ側操作パネルと、
映像や音声を記録再生するＨＤＤと、
上記レコーダ側チューナの受信信号に基づいて番組表を取得するレコーダ側番組表取得回路と、
同側チューナによる受信信号に基づいて上記ＨＤＤに記録せしめ、また同ＨＤＤから再生させる記録再生回路と、
ＨＤＤレコーダの総合的な制御を行なうレコーダ側制御回路と、
外部機器と接続可能なレコーダ側ＨＤＭＩインターフェイスとを具備し、
上記レコーダ側制御回路が、
上記ＣＥＣ機能による通信を介して上記テレビでのテレビ放送の視聴操作を逐次受け付ける視聴操作受付手段と、
テレビ放送の番組表を受信する番組表受信手段と、
視聴された番組の情報を蓄積する視聴履歴管理手段と、
視聴された番組の履歴に基づいて所定の基準と対比させて見逃し防止対象を選択する番組選択手段と、
視聴操作を監視して見逃し防止対象として選択されている番組が視聴されていないときに上記ＨＤＤに自動録画させるとともに、同ＨＤＤレコーダでの自動録画については、一定容量の記憶領域の範囲で自動録画対象を録画し、容量を超えるものについては所定の基準に従って削除する視聴予約処理手段とを具備することを特徴とするテレビ視聴およびテレビ録画システム。
【発明の詳細な説明】
【技術分野】
【０００１】
本発明は、テレビ視聴およびテレビ録画システム、ＨＤＤレコーダ、およびテレビに関し、特に、番組見逃し防止を実現するテレビ視聴およびテレビ録画システム、ＨＤＤレコーダ、およびテレビに関する。
【背景技術】
【０００２】
テレビ番組の見逃し防止に関して、以下のものが知られている。
特許文献１には、毎週視聴したいテレビ番組を視聴し忘れたり、記録予約するのを忘れたりした場合でも、毎週視聴したいテレビ番組を確実に視聴することを可能にすることを目的として、自動記録機能が設定されている場合、装置の側チューナで受信したテレビ番組を視聴したり、テレビの番組を予約記録したりすると、当該テレビ番組の放送曜日と放送時間帯とチャンネルとを含む番組識別情報がフラッシュＲＯＭに記憶され、先週に視聴または予約記録されたテレビ番組を今週も記録する場合、フラッシュＲＯＭに記憶されている先週の番組識別情報に対応する今週のテレビ番組の記録開始時刻になったとき、記録開始させ、その今週のテレビ番組がハードディスクに記録される情報記録再生装置の構成が開示されている。
【０００３】
特許文献２には、番組を視聴者の嗜好に基づいて自動録画する自動録が装置であって、番組を録画する録画手段と、放送される電子番組表を記憶する電子番組表記憶手段と、電子番組表で送られる番組の時間、チャンネル、ジャンル、番組名、出演者などの各電子番組情報について視聴者の嗜好に応じて重み付けがなされた嗜好情報を記憶する嗜好情報記憶手段と、過去に視聴した番組の視聴済みライブラリ記憶手段とを備え、視聴者の嗜好に応じた番組でかつ視聴者が過去に視聴していない番組を自動的に録画する番組録画再生装置の構成が開示されている。
【０００４】
特許文献３には、いつも見ている高頻度視聴番組を確実にユーザに提供することを目的としていて、チャンネル履歴書き込み手段１００は、選局手段１Ｍでのプログラム対応チャンネルの選択状態を、曜日及び時刻に対応可能なタイミングで、チャンネル履歴メモリ１０５に、逐次に、副数週間分記憶させ、この場合に、チャンネル履歴書き込み手段１００は、選局手段１Ｍでのプログラム対応チャンネルの視聴頻度に、視聴番組に応じて重み付けをしておき、チャンネル履歴メモリ１０５の記憶内容を調べ、過去複数週間の、同曜日、同時刻における、所定の頻度以上で選択されている高頻度受信プログラム対応チャンネルの存在の有無を判定し、当該判定により高頻度受信プログラム対応チャンネルの存在を検知したときに、その番組を自動録画するテレビ放送受信装置の構成が開示されている。
【先行技術文献】
【特許文献】
【０００５】
【特許文献１】特開２００８−２１１４０８号公報
【特許文献２】特開２００６−８０９７４号公報
【特許文献３】特開２００４−１８０３３８号公報
【発明の概要】
【発明が解決しようとする課題】
【０００６】
上述した従来の技術では、テレビとＨＤＤレコーダとが分離している場合に、ユーザーが通常テレビで視聴している番組の見逃しを防止することはできなかった。
本発明は、テレビとＨＤＤレコーダとが分離している場合に、ユーザーが通常テレビで視聴している番組の見逃しを防止することを目的とする。
【課題を解決するための手段】
【０００７】
本発明は、テレビとＨＤＤレコーダとをＨＤＭＩケーブルで接続してＣＥＣ機能で互いに通信可能なテレビ視聴およびテレビ録画システムであって、上記ＨＤＤレコーダの側において、上記ＣＥＣ機能による通信を介して上記テレビでのテレビ放送の視聴操作を受け付ける視聴操作受付手段と、テレビ放送の番組表を受信する番組表受信手段と、視聴された番組の情報を蓄積する視聴履歴管理手段と、視聴された番組の履歴に基づいて所定の基準と対比させて見逃し防止対象を選択する番組選択手段と、視聴操作を監視して見逃し防止対象として選択されている番組が視聴されていないときに視聴対象とさせる視聴予約処理手段とを具備する構成としてある。
【０００８】
上記構成において、ＨＤＤレコーダの側の視聴操作受付手段は、ＣＥＣ機能による通信を介してテレビでのテレビ放送の視聴操作を受け付ける。すると、番組表受信手段はテレビ放送の番組表を受信し、視聴履歴管理手段が視聴された番組の情報を蓄積する。また、番組選択手段は視聴された番組の履歴に基づいて所定の基準と対比させて見逃し防止対象を選択するので、視聴予約処理手段は視聴操作を監視して見逃し防止対象として選択されている番組が視聴されていないときに視聴対象とさせる。
【０００９】
このように、ＨＤＤレコーダの側でテレビの視聴操作を受信しており、これに基づいて見逃し防止対象として選択されている番組が視聴されていないときに視聴対象とさせることで、見逃しを防止できる。
見逃し防止対象として選択する基準として、上記番組選択手段は、見逃し防止対象を選択する基準として、週内の連続する日付で同時刻帯に一定時間以上視聴している番組を選択するように構成しても良い。
【００１０】
例えば、月曜日、火曜日、水曜日と・・毎日のように連続するシリーズ番組の見逃しを防止する。
また、上記番組選択手段は、見逃し防止対象を選択する基準として、連続する週で同時刻帯に一定時間以上視聴している番組を選択するように構成しても良い。
さらに、上記番組選択手段は、視聴する回数が多くなると優先度を上げるように構成しても良い。
【００１１】
過去の視聴操作を記録していくことで、同じ時間帯に複数の番組を視聴しているような状況が生じるが、連続して視聴する回数が多い方の優先度を上げることでいずれか一方を選択できるようにする。
見逃し防止対象として選択されている番組が視聴されていないときに視聴対象とさせる具体的な方法として、上記視聴予約処理手段は、上記テレビと接続されている上記ＨＤＤレコーダに対して自動録画対象として予約させるように構成しても良い。
【００１２】
視聴していないということは、テレビの前にいない可能性もあるので、後日見れるように自動録画対象とさせる。
テレビの視聴操作を受け付けるタイミングの一例として、上記視聴操作受付手段は、上記テレビがオフとなる際に上記ＨＤＤレコーダにまとめて送信するように構成しても良い。
また、上記視聴操作受付手段は、所定期間毎に上記テレビから上記ＨＤＤレコーダにまとめて送信するように構成しても良い。
【００１３】
さらに、上記視聴操作受付手段は、視聴操作された時点で逐次上記テレビから上記ＨＤＤレコーダに送信するように構成しても良い。
逐次、送信することで通常は問題ないが、テレビの側でも視聴操作をまとめて送信することで、通常時のＣＥＣ機能の処理を低減することもできる。
自動録画をする場合の好適な一例として、上記ＨＤＤレコーダは、一定容量の記憶領域の範囲で自動録画対象を録画し、容量を超えるものについては所定の基準に従って削除するように構成しても良い。
【００１４】
ユーザーが意図しない自動録画を行うことで録画領域が減ってしまうと、ユーザーが意図した録画ができなくなってしまう可能性があるので、一定容量の記憶領域の範囲で自動録画対象を録画し、容量を超えるものについては所定の基準に従って削除する。
本発明は、以上のようなテレビとＨＤＤレコーダとからなるシステムでのみ利用可能なわけではなく、その構成要素の単体においても利用可能である。
【００１５】
その一例として、テレビに対してＨＤＭＩケーブルで接続されてＣＥＣ機能で互いに通信可能なＨＤＤレコーダであって、上記ＣＥＣ機能による通信を介して上記テレビでのテレビ放送の視聴操作を受け付ける視聴操作受付手段と、テレビ放送の番組表を受信する番組表受信手段と、視聴された番組の情報を蓄積する視聴履歴管理手段と、視聴された番組の履歴に基づいて所定の基準と対比させて見逃し防止対象を選択する番組選択手段と、視聴操作を監視して見逃し防止対象として選択されている番組が視聴されていないときに視聴対象とさせる視聴予約処理手段とを具備するように構成しても良い。
【００１６】
また、テレビとして、テレビ放送の視聴操作を受け付けるテレビ視聴操作受付手段と、テレビ放送の番組表を受信するテレビ番組表受信手段と、視聴された番組の情報を蓄積するテレビ視聴履歴管理手段と、視聴された番組の履歴に基づいて所定の基準と対比させて見逃し防止対象を選択するテレビ番組選択手段と、視聴操作を監視して見逃し防止対象として選択されている番組が視聴されていないときに視聴対象とさせるテレビ視聴予約処理手段とを具備するように構成し、自動録画しないで視聴のみ行えるようにするテレビとして構成しても良い。
【００１７】
その他、より具体的な構成として、テレビとＨＤＤレコーダとをＨＤＭＩケーブルで接続してＣＥＣ機能で互いに通信可能なテレビ視聴およびテレビ録画システムであって、
上記テレビは、テレビ放送を受信するテレビ側チューナと、操作を受け付けるテレビ側操作パネルと、同テレビ側チューナによる受信信号に基づいて映像信号と音声信号を出力するテレビ処理回路と、上記映像信号に基づいて画像処理する画像処理回路と、液晶パネルと、バックライトユニットと、パネル駆動回路とを有し、画像処理された映像信号に基づいて映像を表示する液晶パネルユニットと、上記音声信号に基づいて音声を出力する音声回路と、上記テレビ側チューナの受信信号から番組表を取得するテレビ側番組表取得回路と、テレビの総合的な制御を行なうテレビ側制御回路と、外部機器と接続可能なテレビ側ＨＤＭＩインターフェイスとを具備し、
上記ＨＤＤレコーダは、テレビ放送を受信するレコーダ側チューナと、操作を受け付けるレコーダ側操作パネルと、映像や音声を記録再生するＨＤＤと、上記レコーダ側チューナの受信信号に基づいて番組表を取得するレコーダ側番組表取得回路と、同側チューナによる受信信号に基づいて上記ＨＤＤに記録せしめ、また同ＨＤＤから再生させる記録再生回路と、ＨＤＤレコーダの総合的な制御を行なうレコーダ側制御回路と、外部機器と接続可能なレコーダ側ＨＤＭＩインターフェイスとを具備し、
上記レコーダ側制御回路が、上記ＣＥＣ機能による通信を介して上記テレビでのテレビ放送の視聴操作を逐次受け付ける視聴操作受付手段と、テレビ放送の番組表を受信する番組表受信手段と、視聴された番組の情報を蓄積する視聴履歴管理手段と、視聴された番組の履歴に基づいて所定の基準と対比させて見逃し防止対象を選択する番組選択手段と、視聴操作を監視して見逃し防止対象として選択されている番組が視聴されていないときに上記ＨＤＤに自動録画させるとともに、同ＨＤＤレコーダでの自動録画については、一定容量の記憶領域の範囲で自動録画対象を録画し、容量を超えるものについては所定の基準に従って削除する視聴予約処理手段とを具備する構成としても良い。
【発明の効果】
【００１８】
本発明によれば、連続ドラマなどユーザーが毎週（毎日）テレビで見ている番組に関して、外出や急な用事で見れない・予約もしていない場合にＨＤＤレコーダで自動的に録画を行うことによりユーザーの番組見逃しを防止する。より具体的には、テレビ側でユーザーが視聴している番組の情報をＨＤＭＩ  ＣＥＣの機能によってＨＤＤレコーダに送信し、ＨＤＤレコーダはユーザー独自のデータベース（よく視聴する番組）を作成し、実際に番組が放送される時間にテレビの電源が入っていなければ自動で番組録画を実行することにより見たい番組を見逃さないようにすることができる。
【図面の簡単な説明】
【００１９】
【図１】本発明の一実施形態にかかるテレビ視聴およびテレビ録画システムのブロック図である。
【図２】本テレビ視聴およびテレビ録画システムにおけるフローチャートである。
【図３】自動録画の処理のフローチャートである。
【図４】テレビの側における自動視聴予約に対応するフローチャートである。
【発明を実施するための形態】
【００２０】
以下、図面にもとづいて本発明の実施形態を説明する。
図１は、本発明の一実施形態にかかるテレビ視聴およびテレビ録画システムをブロック図により示している。本発明のテレビ視聴およびテレビ録画システムは、テレビとＨＤＤレコーダとをＨＤＭＩケーブルで接続してＣＥＣ機能で互いに通信可能としている。
同図において、テレビ１０におけるテレビ側チューナ１１は、アンテナ１２を介してテレビ放送を受信する。テレビ処理回路１３はテレビ側チューナ１１に対して所定のチャンネルのテレビ放送を受信させるとともに、テレビ放送の受信信号から映像信号と音声信号とを出力する。また、その前提としてテレビ側操作パネル１４を介してユーザの操作を入力している。
【００２１】
映像信号は画像処理回路１５に出力され、同画像処理回路１５は液晶パネルユニット１６で映像を表示するための信号に変換して出力する。液晶パネルユニット１６はパネル駆動回路１７と、液晶パネル１８と、バックライトユニット１９とを有しており、画像処理回路１５の出力信号に基づいてパネル駆動回路１７が液晶パネル１８の各画素を駆動させて映像を形成しつつ、バックライトユニット１９が同液晶パネル１８の背面から透過光を照射し、同液晶パネル１８の表面に視認可能な映像を表示させる。
一方、音声信号は音声回路２１に出力され、テレビ側操作パネル１４のボリューム調整操作に対応した音量となるように増幅され、スピーカ２２から音声として出力される。
【００２２】
テレビ処理回路１３は映像信号と音声信号に加えて番組情報を含む信号を出力しており、テレビ側番組表取得回路２３が当該信号を入力して番組表を取得する。
また、本テレビ１０全体の統合的な制御はテレビ側制御回路２４が実施しており、より具体的には、テレビ側操作パネル１４での操作を受け付け、テレビ処理回路１３での各種の制御及びテレビ側チューナ１１におけるテレビ放送の受信、画像処理回路１５での画像処理、テレビ側番組表取得回路２３で取得した個々の番組情報の入力、テレビ側ＨＤＭＩインターフェイス２５を介する外部機器との通信などを行う。
【００２３】
一方、ＨＤＤレコーダ３０は、アンテナ３２を介してテレビ放送を受信するレコーダ側チューナ３１と、映像や音声を記録再生するハードディスクドライブ（ＨＤＤ）３４と、同レコーダ側チューナ３１による受信信号に基づいてＨＤＤ３４に記録せしめ、また同ＨＤＤ３４から再生させる記録再生回路３３と、ユーザからの操作を受け付けるレコーダ側操作パネル３５と、総合的な制御を行なうレコーダ側制御回路３６と、外部機器と接続可能なレコーダ側ＨＤＭＩインターフェイス３７と、レコーダ側チューナ３１からの受信信号に基づいて記録再生回路３３が抽出した番組信号に基づいて番組表を取得するレコーダ側番組表取得回路３８とを備えている。
【００２４】
ここで、レコーダ側制御回路３６はレコーダ側操作パネル３５での操作を受け付け、記録再生回路３３によるＨＤＤ３４の記録再生や、レコーダ側チューナ３１の選局、およびレコーダ側ＨＤＭＩインターフェイス３７を介する外部機器との通信などを行う。
なお、テレビ側ＨＤＭＩインターフェイス２５とレコーダ側ＨＤＭＩインターフェイス３７とをＨＤＭＩケーブル２０で接続し、ＣＥＣ機能による通信を介してテレビ側制御回路２４とレコーダ側制御回路３６とは通信が可能となっている。
【００２５】
図２は、本テレビ視聴およびテレビ録画システムにおけるフローチャートであり、主にＨＤＤレコーダ側の処理を示している。
ステップ１１では、テレビの視聴操作を受け付ける。上述したようにＣＥＣ機能による通信を介してテレビ側制御回路２４とレコーダ側制御回路３６とは通信が可能となっており、テレビ側制御回路２４はレコーダ側制御回路３６に対してユーザによるテレビ側操作パネル１４での操作に基づくテレビ放送の視聴操作を送信する。
【００２６】
この送信タイミングは、ステップ１１ｃに示すように、逐次行っても良いし、頻繁な通信を回避するべく、ステップ１１ａに示すようにテレビ１０がパワーオフされるときにまとめて送信しても良いし、ステップ１１ｂに示すように一日一回というように所定期間毎に定期的に送信しても良い。なお、ＣＥＣ機能による通信では相手側の機器の電源がオフとなっていても可能である。なお、このステップ１１およびこれを実施するハードウェアが視聴操作受付手段を構成する。
【００２７】
ステップ１２ではテレビ放送の番組表を受信する。番組表を受信するのはユーザがテレビ１０で視聴している番組の枠を確認するためである。例えば、ある時刻からある時刻までユーザがあるチャンネルとしていたとする。このときの番組の枠を知るべく番組表を受信する。番組表の受信はレコーダ側番組表取得回路３８で番組表を取得した上で、その結果に基づいて取得する。しかし、テレビ１０の側にもテレビ側番組表取得回路２３があるので、その取得結果をＣＥＣ機能によって通信で得るようにしても良い。特に、テレビ１０が視聴操作をまとめて送信する場合には、テレビ１０の側で視聴操作に加えて番組枠まで通知する方が便利である。テレビ１０側で通知できない場合は、ＨＤＤレコーダ３０側で番組表を所定期間にわたって記憶しておき、テレビ１０から視聴操作が通知された時点で過去の番組表を参照して番組枠を知る必要がある。なお、ステップ１２およびこれを実施するハードウェアが番組表受信手段を構成する。
【００２８】
ステップ１３では視聴履歴の管理を行う。具体的には、視聴操作と番組表に対応して視聴された番組の情報を得るとともに、視聴した実績としてＨＤＤ３４の一部領域に蓄積する。このとき、僅かな時間でチャンネルを変えられた番組と、番組枠をほぼ見続けた番組とがあり、前者のような番組の情報は基本的に不要である。このため、ステップ１３ａでは、視聴と認定（視聴認定）するための最低の視聴時間で判断したり、僅かな時間でも何度も見ているような場合などはその回数で判断する。例えば、時間としては最低１５分は見ていたというような基準を適用する。そして、視聴認定されたものについては、ステップ１３ｂでデータベースを更新して記録する。以上、ステップ１３ａ，１３ｂおよびこれを実施するハードウェアが視聴履歴管理手段を構成する。
【００２９】
次に、ステップ１３ｃにて、視聴された番組の履歴に基づいて所定の基準と対比させて見逃し防止対象を選択する。見逃し防止対象を選択する基準としては、各種の態様がある。一例として、
・週内の連続する日付で同時刻帯に一定時間以上視聴している番組
・連続する週で同時刻帯に一定時間以上視聴している番組
は、毎日あるいは毎週放映されているテレビ番組をユーザが視聴している可能性が高く、見逃し防止対象とする価値がある。なお、上述したように、番組表と時刻とチャンネルの情報から番組枠単位で視聴履歴を管理することにより、毎日同じ時間の番組枠を見ていることや、毎週同じ時間の番組枠を見ているということを判断できる。
【００３０】
一方、番組枠で管理することにより、ユーザが頻繁に番組間を往復する場合に、同じ番組枠の複数の番組を視聴していると認定される場合がある。このような場合は、視聴する回数が多くなると優先度を上げるようにすることで、一方を見逃し防止対象と認定することができるようになる。なお、ステップ１３ｃおよびこれを実施するハードウェアが番組選択手段を構成する。
【００３１】
このようにして見逃し防止対象が選択されれば、あとはステップ１４でこの見逃し防止対象の番組枠を視聴予約とし、ステップ１４ａで視聴予約時間となっており、かつ、視聴されていないのであれば、ステップ１４ｂにてテレビで視聴させるようにする。視聴されていないか否かはＣＥＣ機能によってテレビ１０の視聴操作を検出できるから、これに基づいて判断できる。そして、この場合の見逃し防止対策はテレビの視聴という形で行っている。
【００３２】
しかし、ユーザがテレビの前にいればこのような方法でも良いが、現実に留守をしているような場合もあり、そのような場合にはテレビ１０でリアルタイムに視聴することはできない。このため、ステップ１５では見逃し防止対象を自動録画対象として自動録画予約をしておく。
このように、ステップ１４，１５では、視聴操作を監視して見逃し防止対象として選択されている番組が視聴されていないときに視聴対象とさせており、これらのステップ１４，１５およびこれを実施するハードウェアが視聴予約処理手段を構成する。
【００３３】
図３は、自動録画の処理のフローチャートを示している。
ステップ３１では自動録画情報を受信する。ＨＤＤレコーダ３０のレコーダ側制御回路３６にて自動録画予約をする場合に加え、テレビ１０の側で同等の処理をして自動録画情報を送信するようにしてもよい。そして、ステップ３２ａで自動録画の予約時間となっているか判断し、予約時間であればステップ３２ｂで自動録画する。
【００３４】
ところで、自動録画は便利であるが、勝手に録画をして録画領域を減らしてしまい、ユーザが意図した録画予約を実行できなくなってしまっては本末転倒である。このため、ステップ３３ではリングバッファの処理を実施する。すなわち、繰り返し利用可能な一定容量の自動録画用の録画領域（記憶領域）を確保し、この容量の範囲で自動録画する。そして、容量を超えたものは削除する。削除する基準として、ステップ３３ａは古いものから削除する例を示し、ステップ３３ｃではユーザが視聴した番組を優先的に削除対象としている。このような自動削除の前提として、ステップ３３ｂでは自動分類を実施しており、コンテンツによる分類や、見逃し防止対象としては選択されつつも、その優先度を付けて番組を分類する。むろん、その分類結果を削除の優先度に対応づけることで、一定容量の録画領域を有効に利用できるようになる。
【００３５】
一方、見逃し防止対象の番組は録画するだけでなく、テレビ１０で視聴可能とするだけでもよく、この場合はＨＤＤレコーダ３０の側からテレビ１０の側にＣＥＣ機能を使って自動視聴予約を設定する。
図４はテレビの側における自動視聴予約に対応するフローチャートである。
ステップ２１で、テレビ１０はユーザの視聴操作があるか否かを判断し、視聴操作があれば、ステップ２２にて同操作に対応する視聴を行わせる。
【００３６】
一方、ステップ２３では先のようにして自動予約に対応する処理を行う。すなわち、ステップ２３ａでは予約時間か否かを判断し、予約時間となっていればその内容に応じてステップ２３ｂで視聴を行わせる。これにより、普段見ている番組をユーザがテレビで視聴していなかった場合に、自動予約で同番組をテレビ１０で視聴できるようになり、見逃しを防止できる。
【００３７】
なお、テレビの側で、テレビの視聴操作を管理し、上述したようにして自動視聴したり、外部に接続した録画機器などに自動録画させるということも可能である。この場合に、上述したのとほぼ同様の内容となるテレビ視聴操作受付手段と、テレビ番組表受信手段と、テレビ視聴履歴管理手段と、テレビ番組選択手段と、テレビ視聴予約処理手段が備えられることになる。
【００３８】
このように、本発明は、ユーザーが視聴している番組の情報を、ＨＤＤレコーダ３０によってＣＥＣ機能によってＨＤＤレコーダ３０側に保存し（ステップ１１，１２，１３ａ）、ＨＤＤレコーダ３０側でテレビ側チューナ１１が視聴している番組のデータベースを作成し（ステップ１３ｂ）、このデータベースにより録画候補の番組を選定（ステップ１３ｃ）する。そして、視聴予約とされると、予約に対応して視聴させたり（ステップ１４）、自動録画予約させ（ステップ１５）、見逃しを防止する。
【００３９】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
【００４０】
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４１】
１０…テレビ、１１…テレビ側チューナ、１２…アンテナ、１３…テレビ処理回路、１４…テレビ側操作パネル、１５…画像処理回路、１６…液晶パネルユニット、１７…パネル駆動回路、１８…液晶パネル、１９…バックライトユニット、２０…ＨＤＭＩケーブル、２１…音声回路、２２…スピーカ、２３…テレビ側番組表取得回路、２４…テレビ側制御回路、２５…テレビ側ＨＤＭＩインターフェイス、３０…ＨＤＤレコーダ、３１…レコーダ側チューナ、３２…アンテナ、３３…記録再生回路、３４…ＨＤＤ、３５…レコーダ側操作パネル、３６…レコーダ側制御回路、３７…レコーダ側ＨＤＭＩインターフェイス、３８…レコーダ側番組表取得回路。
【図１】
2011130286.tif 000003
【図２】
2011130286.tif 000004
【図３】
2011130286.tif 000005
【図４】
2011130286.tif 000006